(57)【要約】【課題】ユーザー自身が自分自身の望むように簡単に左右のテンプルの間隔を調整でき、しかも、長期にわたる使用に際しても調整が狂い難くする。【解決手段】めがね１は、左右の鎧１１，１２と左右のテンプル１３，１４との間、左右のテンプル１３，１４と左右の掛止杆１７，１８との間、左右のノーズパッド７，８と左右のノーズパッド連結杆９，１０との間に、それぞれ、ボールジョイント１９，２０，２１，２２，２３，２４が設けられている。これらのボールジョイント１９，２０，２１，２２，２３，２４により、左右のテンプル１３，１４の間隔およびそれらの個々の位置、左右の掛止杆１７，１８の間隔およびそれらの個々の位置、および左右のノーズパッド７，８およびそれらの個々の位置を簡単に調整することができる。【選択図】　　図１
2004045917.tif 000002
【特許請求の範囲】
【請求項１】
左右のめがねレンズをともに支持するフレームと、このフレームにそれぞれ固定される左右の鎧と、これら左右の鎧にそれぞれ回動可能に連結される左右のテンプルと、これら左右のテンプルの鎧との連結側と反対側に設けられる左右の掛止杆と、前記フレームに前記左右のめがねレンズに対応してそれぞれ左右のノーズパッド連結杆を介して取り付けられる左右のノーズパッドとを備えているめがねにおいて、
前記左右の鎧と前記左右のテンプルとがボールジョイントを介して連結されていることを特徴とするめがね。
【請求項２】
前記ボールジョイントは、前記左右の鎧と前記左右のテンプルとの一方に接続されかつボールを有する第１ジョイント部材と、この第１ジョイントに対して相対回動可能に連結されるとともに前記左右の鎧と前記左右のテンプルとの他方に接続され、更に前記ボールを収容するボール収容部を有する第２ジョイント部材とからなり、
前記ボール収容部は、軸方向に沿って少なくとも内径の一部が変化する筒状に形成されているとともに、このボール収容部に、前記第１ジョイント部材が前記第２ジョイント部材に対して直角またはほぼ直角に回動可能にする溝が形成されていることを特徴とする請求項１記載のめがね。
【請求項３】
更に、前記左右のノーズパッドと前記左右のノーズパッド連結杆とが第２のボールジョイントを介して連結されていることを特徴とする請求項１または２記載のめがね。
【請求項４】
左右のめがねレンズをそれぞれ支持するフレームと、このフレームにそれぞれ固定される左右の鎧と、これら左右の鎧にそれぞれ回動可能に連結される左右のテンプルと、これら左右のテンプルの鎧との連結側と反対側に設けられる左右の掛止杆と、前記フレームに前記左右のめがねレンズに対応してそれぞれ左右のノーズパッド連結杆を介して取り付けられる左右のノーズパッドとを備えているめがねにおいて、
前記左右のノーズパッドと前記左右のノーズパッド連結杆とがボールジョイントを介して連結されていることを特徴とするめがね。
【請求項５】
更に、前記左右のテンプルと前記左右の掛止杆とが第３のボールジョイントを介して連結されていることを特徴とする請求項１ないし４のいずれか１記載のめがね。
【発明の詳細な説明】
【０００１】
【発明の属する技術分野】
本発明は、左右のめがねレンズをともに支持するフレームを有するとともに、このフレームに左右のテンプルと左右のノーズパッドを有するめがねの技術分野に属し、特に、めがねのユーザーの顔に効果的にフィットすることのできるめがねの技術分野に属するものである。なお、本発明の説明において「左右」は、ユーザーから見て「左右」である。
【０００２】
【従来の技術】
従来、めがねとしては、図３（ａ）に示すような左右のめがねレンズを支持するフレームを有するめがねが一般的に知られている。図中、１はめがね、２，３はめがねレンズ、４はリム、５はブリッジ、６はフレーム　、７，８はノーズパッド、９，１０はノーズパッド連結杆、１１，１２は鎧、１３，１４はテンプル、１５，１６はヒンジ、１５ａ，１６ａは鎧側ヒンジ部材、１５ｂ，１６ｂはテンプル側ヒンジ部材、１５ｃ，１６ｃはヒンジピン、１７，１８は掛止杆である。
【０００３】
このめがね１においては、左右のめがねレンズ２，３がリム４とブリッジ５とからなるフレーム６で支持されかつ互いに連結されている。そして、フレーム６のリム４に左右の鎧１１，１２が固定されているとともに、これらの鎧１１，１２に左右のテンプル１３，１４がそれぞれ左右のヒンジ１５，１６を介して回動可能に連結されている。
【０００４】
図３（ｂ）に示すように、左側のヒンジ１５は、鎧１１に固定された鎧側ヒンジ部材１５ａ、テンプル１３に固定されたテンプル側ヒンジ部材１５ｂ、およびこれらの鎧側ヒンジ部材１５ａとテンプル側ヒンジ部材１５ｂとを回動可能に連結するヒンジピン１５ｃから構成されている。なお、図３に概略的に示すが、右側のヒンジ１６も、左側のヒンジ１５と同様に、鎧１２に固定された鎧側ヒンジ部材１６ａ、テンプル１４に固定されたテンプル側ヒンジ部材１６ｂ、およびこれらの鎧側ヒンジ部材１６ａとテンプル側ヒンジ部材１６ｂとを回動可能に連結するヒンジピン１６ｃから構成されている。
【０００５】
左右のめがねレンズ２，３をそれぞれ支持するリム４の部分には、ユーザーの鼻にあてがわれる左右のノーズパッド７，８がそれぞれ左右のノーズパッド連結杆９，１０を介して設けられている。その場合、各ノーズパッド７，８はそれぞれ対応するノーズパッド連結杆９，１０にほんのわずか揺動可能に支持されて、ユーザーの鼻の形状に整合するようにしている。
更に、左右のテンプル１３，１４のヒンジ１５，１６と反対側に、ユーザーの左右の耳にそれぞれ掛けられる掛止杆１７，１８が設けられている。
【０００６】
このように構成されているめがね１は、非使用時には、左右のテンプル１３，１４がそれぞれ左右のヒンジ１５，１６において内側にリム４にほぼ平行になるように折り曲げられて、保管される。
【０００７】
また、めがね１は、使用時には、図３（ａ）に示すように左右のテンプル１３，１４がそれぞれ左右のヒンジ１５，１６において外側にリム４とほぼ直角になるように拡げられて、ユーザーの顔に装着可能な状態にされる。そして、左右のめがねレンズ２，３がユーザーの左右の目に対向するようにして、左右のノーズパッド７，８がユーザーの鼻にあてがわれ、かつ左右の掛止杆１７，１８がユーザーの左右の耳にそれぞれ掛けられることで、めがね１はユーザーの顔に装着される。
【０００８】
【発明が解決しようとする課題】
ところで、この従来のめがね１においては、図３（ａ）に示すように左右のテンプル１３，１４がそれぞれ拡げられた装着可能状態に設定されたときに、左右のテンプル１３，１４の間隔がユーザーの顔の左右の幅にフィットしないことが多い。
【０００９】
そこで、従来は、例えば図３（ｃ）に示すように、左側のテンプル１１の長さを変えて、テンプル１１の前端１１ａが鎧９に当接する時のテンプル１１の回動角θ′を調整する（図示しないが、右側のテンプル１２も同じである）ことで、左右のテンプル１１，１２の間隔を概略的に調整するとともに左右のテンプル１１，１２を湾曲して塑性変形させて微調整することで、ユーザーの顔の左右の幅にフィットするようにしている。
【００１０】
しかしながら、このような従来の調整方法では、ユーザーがめがねを購入する際、一々、ユーザーの顔の幅にあてがって調整する必要があり、調整作業が煩雑となっている。
【００１１】
また、めがね１がユーザーの顔に、必ずしもユーザーが望むようにフィットするとは限らない。しかも、めがね１を長期間使用したとき、左右のテンプル１３，１４の間隔が緩んで、調整が狂ってしまうという問題もあり、この場合には再度の調整がきわめて面倒でありかつ正確に調整されない場合が多い。
【００１２】
本発明はこのような事情に鑑みてなされたものであって、その目的は、ユーザー自身が自分自身の望むように簡単に左右のテンプルの間隔を調整でき、しかも、長期にわたる使用に際しても調整が狂い難くすることのできるめがねを提供することである。
【００１３】
【課題を解決するための手段】
上記の問題点を解決するために、請求項１の発明は、左右のめがねレンズをともに支持するフレームと、このフレームにそれぞれ固定される左右の鎧と、これら左右の鎧にそれぞれ回動可能に連結される左右のテンプルと、これら左右のテンプルの鎧との連結側と反対側に設けられる左右の掛止杆と、前記フレームに前記左右のめがねレンズに対応してそれぞれ左右のノーズパッド連結杆を介して取り付けられる左右のノーズパッドとを備えているめがねにおいて、前記左右の鎧と前記左右のテンプルとがボールジョイントを介して連結されていることを特徴としている。
【００１４】
また、請求項２の発明は、前記ボールジョイントが、前記左右の鎧と前記左右のテンプルとの一方に接続されかつボールを有する第１ジョイント部材と、この第１ジョイントに対して相対回動可能に連結されるとともに前記左右の鎧と前記左右のテンプルとの他方に接続され、更に前記ボールを収容するボール収容部を有する第２ジョイント部材とからなり、前記ボール収容部が、軸方向に沿って少なくとも内径の一部が変化する筒状に形成されているとともに、このボール収容部に、前記第１ジョイント部材が前記第２ジョイント部材に対して直角またはほぼ直角に回動可能にする溝が形成されていることを特徴としている。
【００１５】
更に、請求項３の発明は、更に、前記左右のノーズパッドと前記左右のノーズパッド連結杆とが第２のボールジョイントを介して連結されていることを特徴としている。
【００１６】
更に、請求項４の発明は、左右のめがねレンズをそれぞれ支持するフレームと、このフレームにそれぞれ固定される左右の鎧と、これら左右の鎧にそれぞれ回動可能に連結される左右のテンプルと、これら左右のテンプルの鎧との連結側と反対側に設けられる左右の掛止杆と、前記フレームに前記左右のめがねレンズに対応してそれぞれ左右のノーズパッド連結杆を介して取り付けられる左右のノーズパッドとを備えているめがねにおいて、前記左右のノーズパッドと前記左右のノーズパッド連結杆とがボールジョイントを介して連結されていることを特徴としている。
更に、請求項５の発明は、更に、前記左右のテンプルと前記左右の掛止杆とが第３のボールジョイントを介して連結されていることを特徴としている。
【００１７】
【作用】
このように構成された本発明のめがねにおいては、左右の鎧と左右のテンプルとが、それぞれ、ボールジョイントを介して連結される。したがって、左右のテンプルがユーザー自身によって所望の方向に所望量だけ回動されることにより、これら左右のテンプルの間隔およびそれらの個々の位置が簡単に調整されるようになる。これにより、本発明のめがねは、左右のテンプルをそれぞれユーザーの顔にユーザーが望むように適切にかつ容易にフィットさせることが可能となる。
【００１８】
また、左右のノーズパッドと左右のノーズパッド連結杆とが、それぞれ、第２のボールジョイントを介して連結される。したがって、左右のノーズパッドがユーザー自身によって所望の方向に所望量だけ回動されることにより、これら左右のノーズパッドの間隔およびそれらの個々の位置が簡単に調整されるようになる。これにより、本発明のめがねは、左右のノーズパッドをユーザーの鼻にユーザーが望むように適切にかつ容易にフィットさせることが可能となる。
【００１９】
更に、左右のテンプルと左右の掛止杆とが、それぞれ、第３のボールジョイントを介して連結される。したがって、左右の掛止杆がユーザー自身によって所望の方向に所望量だけ回動されることにより、これら左右のノーズパッドの間隔およびそれらの個々の位置が簡単に調整されるようになる。これにより、本発明のめがねは、左右の掛止杆をユーザーの耳にユーザーが望むように適切にかつ容易にフィットさせることが可能となる。
【００２０】
しかも、ボールジョイントがめがねの左右６箇所に設けることで、前述の調整がより一層きめ細かく行われるようになり、めがねがユーザーの顔に、より一層適切にフィットされる。
【００２１】
更に、ボールジョイントのボールがボール収容部により所定の挟持力で挟持されることで、ボールの位置が確実にかつ安定して保持されるようになる。したがって、めがねが長期間使用されても、調整の狂いが抑制されるようになる。
【００２２】
更に、ボールジョイントの第１および第２ジョイント部材が着脱可能に連結されるようになる。これにより、第１および第２ジョイント部材の一方とノーズパッドとが接続されたものを予め用意することで、ノーズパッドが汚れて変色しても、そのノーズパッドのみを簡単に交換することが可能となり、安価に新品と同様のものにすることができる。
【００２３】
【発明の実施の形態】
以下、図面を用いて本発明の実施の形態について説明する。
図１は、本発明にかかるめがねの実施の形態の一例を示す、図３（ａ）と同様の斜視図、図２は、この例のめがねに用いられるボールジョイントを示し、（ａ）はその分解斜視図、（ｂ）はその部分断面図、（ｃ）は組み付け状態を示す部分断面図である。なお、前述の図３に示す従来のめがね１と同じ構成要素には同じ符号を付すことで、その詳細な説明は省略する。
【００２４】
図１に示すように、この例のめがね１は、前述の従来のめがね１におけるヒンジ１５，１６に代えて、左右の鎧１１，１２と左右のテンプル１３，１４との間に、それぞれボールジョイント１９，２０が設けられている。また、左右のテンプル１３，１４と左右の掛止杆１７，１８との間に、それぞれボールジョイント２１，２２が設けられている。更に、左右のノーズパッド７，８と左右のノーズパッド連結杆９，１０との間にも、それぞれボールジョイント２３，２４が設けられている。
【００２５】
これらのボールジョイント１９，２０，２１，２２，２３，２４は、いずれも同じ構造を有している。そこで、代表として、右側のボールジョイント２０について説明する。図２（ａ）に示すように、ボールジョイント２０は、軸２５ａとこの軸２５ａの先端に設けられたボール２５ｂを有する第１ジョイント部材２５、および軸２６ａとこの軸２６ａの先端に設けられた横断面円形の有底筒状のボール収容部２６ｂを有する第２ジョイント部材２６から構成されている。第１および第２ジョイント部材２５，２６は、いずれも、合成樹脂あるいは軽金属から形成されている。
【００２６】
第２ジョイント部材２６のボール収容部２６ｂの筒状部２６ｂ１は所定の弾性を有しており、その先端の開口端面２６ｂ２は内側に傾斜する傾斜面とされている。また、図２（ｂ）に示すように筒状部２６ｂ１の内周面の径は開口端面２６ｂ２から底部２６ｂ３に向かって徐々に連続して大きくなるように設定されている。そして、ボール２５ｂの直径αがボール収容部２６ｂの開口端面２６ｂ２の内周径βより大きく、ボール収容部２６ｂの底部２６ｂ３の内周径より小さく設定されている。
【００２７】
図２（ｃ）に示すように、ボール２５ｂはボール収容部２６ｂ内に押し込まれて収容されることでボールジョント２０が構成される。その場合、ボール２５ｂがボール収容部２６ｂ内に押し込まれるときは、このボール２５ｂが傾斜面の開口端面２６ｂ１を押圧することで、筒状部２６ｂ１の先端側が弾性変形して押し拡げられ、ボール２５ｂはボール収容部２６ｂ内に進入するようになっている。
【００２８】
ボール収容部２６ｂの筒状部２６ｂ１には、前端に開放する軸方向の溝２６ｃが設けられており、この溝２６ｃの周方向の幅は、第１ジョイント部材２５の軸２５ａが進入可能でかつ軸２５ａが進入した状態で溝２６ｃの幅方向にあまりガタつかない程度の大きさに設定されている。また、溝２６ｃの深さ（軸方向の長さ）は、図２（ｃ）に示すように軸２５ａが実線で示す第２ジョイント部材２６の軸２６ａと一直線をなす位置Ａに対してほぼ直角の二点鎖線で示す位置Ｂに回動可能な大きさに設定されている。
【００２９】
更に、図２（ｃ）に二点差線で示すように、筒状部２６ｂ１の溝２６ｃ以外の部分では、軸２５ａは開口端面２６ｂ２の内周縁に当接する位置Ｃまで回動可能となっている。すなわち、軸２５ａは筒状部２６ｂ１の周方向３６０度どの部分に向かっても回動可能である。その場合、軸２５ａは筒状部２６ｂ１の溝２６ｃの部分では位置Ａまでほぼ直角に回動可能であり、また筒状部２６ｂ１の溝２６ｃ以外の部分では、開口端面２６ｂ２の内周縁に当接する（例えば、位置Ｃ）まで回動可能である。
【００３０】
ボール２５ｂがボール収容部２６ｂ内に収容された図２（ｃ）に示す状態では、筒状部２６ｂ１は図２（ｂ）に示す自由状態より弾性変形しており、その弾性復元力でボール２５ｂをボール収容部２６ｂの底部２６ｂ３に押し付けられている。したがって、この状態では、ボール２５ｂは筒状部２６ｂ１と底部２６ｂ３とにより所定の力で挟持されている。
【００３１】
そして、ボール２５ｂは、回動方向に所定以上の回動外力が加えられない限り、この所定の挟持力による筒状部２６ｂ１および底部２６ｂ３との間の摩擦力でその位置に保持されるようになっている。すなわち、軸２５ａつまり第１ジョイント部材２５は、前述の回動範囲内で例えば二点差線で示す位置Ｄに回動して停止したとき、所定以上の回動外力が加えられない限りその回動位置Ｄに保持され、また、所定以上の回動外力が加えられた場合にはその回動位置Ｄから筒状部２６ｂ１および底部２６ｂ３に対して相対的に回動するようになっている。
【００３２】
また、ボール２５ｂは、ボール収容部２６ｂから引き抜く方向に所定以上の引き抜き外力が加えられない限り、このボール収容部２６ｂから引き抜かれなく、また、所定以上の引き抜き外力が加えられたときは、このボール収容部２６ｂから引き抜くことができるようになっている。すなわち、第１および第２ジョイント部材２５，２６は互いに着脱可能に連結されるようになっている。
このようなボールジョイントは、構造が簡単であるのでその製造が容易であり、また、例えばワヨー株式会社製のボールジョイント等の市販のボールジョイントを応用することもできる。
この例のめがね１の他の構成は、前述の従来のめがねと同じである。
【００３３】
このように構成されたボールジョイント１９，２０，２１，２２，２３，２４においては、まず、左右の鎧１１，１２と左右のテンプル１３，１４との間にそれぞれ設けられるボールジョイント１９，２０は、第１および第２ジョイント部材２５，２６の一方が鎧１１，１２に接続されるとともに、第１および第２ジョイント部材２５，２６の他方がテンプル１３，１４に接続される。これらの接続方法としては、図示しないが、ねじによる接続方法、接着剤による接続方法、ロウ付け等による接続方法を始め、既存の接続方法を用いることができる。そして、各ボールジョイント１９，２０は、左右のテンプル１３，１４がそれぞれこれらのボールジョイント１９，２０において内側にリム４にほぼ平行に折り曲げることができるように、それらの溝２６ｃが互いに対向するように内向きに向けられて設けられている（図１に、ボールジョイント２０の溝２６ｃが概略的に示されているとともに、テンプル１４がリム４にほぼ平行に折り曲げられた状態が二点差線で示されている。）。
【００３４】
また、左右のテンプル１３，１４と左右の掛止杆１７，１８との間にそれぞれ設けられるボールジョイント２１，２２は、第１および第２ジョイント部材２５，２６の一方がテンプル１３，１４に接続されるとともに、第１および第２ジョイント部材２５，２６の他方が掛止杆１７，１８に接続される。これらの接続方法としては、前述と同様の接続方法を用いることができる。その場合、これらのボールジョイント２１，２２の場合は、それらの溝２６ｃがどちらの向きに向けられてもよいし、また、これらの溝２６ｃを省略することもできる。
【００３５】
更に、左右のノーズパッド７，８と左右のノーズパッド連結杆９，１０との間にそれぞれ設けられるボールジョイント２３，２４は、第１および第２ジョイント部材２５，２６の一方がノーズパッド７，８に接続されるとともに、第１および第２ジョイント部材２５，２６の他方がノーズパッド連結杆９，１０に接続される。これらの接続方法としては、前述と同様の接続方法を用いることができる。その場合、これらのボールジョイント２３，２４の場合も、それらの溝２６ｃがどちらの向きに向けられてもよいし、また、これらの溝２６ｃを省略することもできる。
【００３６】
この例のめがね１によれば、左右の鎧１１，１２と左右のテンプル１３，１４との間、左右のテンプル１３，１４と左右の掛止杆１７，１８との間、および左右のノーズパッド７，８と左右のノーズパッド連結杆９，１０との間に、それぞれボールジョイント１９，２０，２１，２２，２３，２４を設けているので、左右のテンプル１３，１４をユーザー自身によって所望の方向に所望量だけ回動することで、左右のテンプル１３，１４の間隔およびそれらの個々の位置を簡単に調整することができ、また、左右の掛止杆１７，１８をユーザー自身によって所望の方向に所望量だけ回動することで、左右の掛止杆１７，１８の間隔およびそれらの個々の位置を簡単に調整することができ、更に、左右のノーズパッド７，８をユーザー自身によって所望の方向に所望量だけ回動することで、左右のノーズパッド７，８およびそれらの個々の位置を簡単に調整することができる。したがって、本発明のめがね１をユーザーの鼻や耳を始め、ユーザーの顔にユーザーが望むように適切にかつ容易にフィットさせることができる。
【００３７】
しかも、ボールジョイントをめがね１の６箇所に設けているので、これらの調整をより一層きめ細かく行うことができ、ユーザーの顔により一層適切にフィットさせることができる。
【００３８】
更に、ボールジョイントのボール２５ｄの位置を筒状部２６ｂ１および底部２６ｂ３の挟持力で確実にかつ安定して保持できるので、めがね１を長期間使用しても、整の狂いを抑制できる。
【００３９】
更に、ボールジョイントの第１および第２ジョイント部材２５，２６を着脱可能に連結しているので、第１および第２ジョイント部材２５，２６の一方とノーズパッドとを接続したものを予め用意することで、ノーズパッドが汚れて変色しても、そのノーズパッドのみを簡単に交換することができ、安価に新品と同様にすることができる。
【００４０】
なお、前述の例では、ボールジョイント１９，２０，２１，２２，２３，２４を、左右の鎧１１，１２と左右のテンプル１３，１４との間、左右のテンプル１３，１４と左右の掛止杆１７，１８との間、および左右のノーズパッド７，８と左右のノーズパッド連結杆９，１０との間にそれぞれ設けているが、本発明のめがねは、ボールジョイントを必ずしもこれらの間のすべてに設ける必要はなく、これらの間の少なくとも１つに設けるようにすることもできる。この場合には、これらの間のボールジョイントが設けられない箇所は、例えば前述の図３に示すような従来のめがねと同じように構成すればよい。
しかし、少なくとも鎧とテンプルとの間にボールジョイントを設けることが、調整の最も必要とする箇所であることから調整を効果的に行ううえで好ましい。
【００４１】
また、ボールジョイントの第１および第２ジョイント部材２５，２６の構造、あるいはボールジョイント自体の構成は、図２（ａ）に示すものに限定されることなく、前述の本発明の作用効果を奏するものであれば、どのようなものも採用することができる。例えば、図２（ｄ）に示すように筒状部２６ｂ１の底部２６ｂ３近傍の部分２６ｂ４はその内周径を一定にすることもできるし、また、図２（ｅ）に示すようにこの部分２６ｂ４の内周径を徐々に小さくなるようにすることもできる。
【００４２】
更に、前述の例では、左右の鎧１１，１２と左右のテンプル１３，１４との間、左右のテンプル１３，１４と左右の掛止杆１７，１８との間、および左右のノーズパッド７，８と左右のノーズパッド連結杆９，１０との間にそれぞれ設けられているボールジョイント１９，２０，２１，２２，２３，２４を、すべて同じ構造のものとしているが、これらの間に設けられるボールジョイントは、その構造あるいはサイズが互いに異なるものにすることもできる。
【００４３】
【発明の効果】
以上の説明から明らかなように、本発明のめがねによれば、左右の鎧と左右のテンプルとを、それぞれ、ボールジョイントを介して連結しているので、左右のテンプルをユーザー自身によって所望の方向に所望量だけ回動することにより、これら左右のテンプルの間隔およびそれらの個々の位置を簡単に調整できるようになる。これにより、本発明のめがねの左右のテンプルをそれぞれユーザーの顔にユーザーが望むように適切にかつ容易にフィットさせることができる。
【００４４】
また、左右のノーズパッドと左右のノーズパッド連結杆とを、それぞれ、第２のボールジョイントを介して連結しているので、左右のノーズパッドをユーザー自身によって所望の方向に所望量だけ回動することにより、これら左右のノーズパッドの間隔およびそれらの個々の位置を簡単に調整できるようになる。これにより、本発明のめがねの左右のノーズパッドをユーザーの鼻にユーザーが望むように適切にかつ容易にフィットさせることができる。
【００４５】
更に、左右のテンプルと左右の掛止杆とを、それぞれ、第３のボールジョイントを介して連結しているので、左右の掛止杆をユーザー自身によって所望の方向に所望量だけ回動することにより、これら左右のノーズパッドの間隔およびそれらの個々の位置を簡単に調整できるようになる。これにより、本発明のめがねの左右の掛止杆をユーザーの耳にユーザーが望むように適切にかつ容易にフィットさせることができる。
【００４６】
しかも、ボールジョイントをめがねの左右６箇所に設けることで、前述の調整をより一層きめ細かく行うことができ、めがねがユーザーの顔に、より一層適切にフィットできる。
【００４７】
更に、ボールジョイントのボールをボール収容部により所定の挟持力で挟持することで、ボールの位置を確実にかつ安定して保持できるようになる。したがって、めがねを長期間使用しても、調整の狂いを抑制できるようになる。
【００４８】
更に、ボールジョイントの第１および第２ジョイント部材を着脱可能に連結しているので、第１および第２ジョイント部材の一方とノーズパッドとを接続したものを予め用意することで、ノーズパッドが汚れて変色しても、そのノーズパッドのみを簡単に交換することができ、安価に新品と同様のものにすることができる。
【図面の簡単な説明】
【図１】本発明にかかるめがねの実施の形態の一例を概略的に示す斜視図である。
【図２】図１に示す例のめがねに用いられるボールジョイントを示し、（ａ）はその分解斜視図、（ｂ）はその部分断面図、（ｃ）は組み付け状態を示す部分断面図、（ｄ），（ｅ）はそｒぞれボールジョイントの一変形例を示す（ｃ）と同様の部分断面図である。
【図３】従来のめがねの一例を概略的に示し、（ａ）はその斜視図、（ｂ）は鎧とテンプルとを連結するヒンジ部を示す図である。
【符号の説明】
１…めがね、２，３…めがねレンズ、４…リム、５…ブリッジ、６……フレーム　、７，８…ノーズパッド、９，１０…ノーズパッド連結杆、１１，１２…鎧、１３，１４…テンプル、１５，１６…ヒンジ、１５ａ，１６ａ…鎧側ヒンジ部材、１５ｂ，１６ｂ…テンプル側ヒンジ部材、１５ｃ，１６ｃ…ヒンジピン、１７，１８…掛止杆、１９，２０，２１，２２，２３，２４…ボールジョイント、２５…第１ジョイント部材、２５ａ…軸、２５ｂ…ボール、２６…第２ジョイント部材、２６ａ…軸、２６ｂ…ボール収容部、２６ｂ１…筒状部、２６ｂ２…開口端面、２６ｂ３…底部、２６ｂ４…底部近傍部、２６ｃ…溝
【図１】
2004045917.tif 000003
【図２】
2004045917.tif 000004
【図３】
2004045917.tif 000005